(57)【特許請求の範囲】
【請求項１】
入力信号が入力されると、当該入力信号に対応した音声データを出力する音声信号制御装置において、
入力信号は、機器の状態モード情報、ユニットモード情報、機器番号モード情報を含む第１、第２および第３の桁から構成される固有の優先番号を有し、
ある一定時間内に複数の前記入力信号を受信した場合、当該複数の入力信号の優先番号に従って前記複数の入力信号に対応した音声データを並べ替え、順次出力することを特徴とする音声信号制御装置。
【請求項２】
入力信号が入力されると、当該力信号に対応した音声データを出力する音声信号制御装置において、
入力信号は、機器の状態モード情報、ユニットモード情報、機器番号モード情報を含む第１、第２および第３の桁から構成される固有の優先番号を有し、
ある一定時間内に複数の前記入力信号を受信した場合、当該複数の入力信号の優先番号に従って前記複数の入力信号に対応した音声データを並べ替え、それぞれの音声データの互いに類似する類似部と、前記それぞれの音声データから前記類似部を除いた差異部とを合成してなる優先順再編集音声データを順次出力することを特徴とする音声信号制御装置。
【発明の詳細な説明】
【０００１】
【発明の属する技術分野】
本発明は、例えば、工場やプラントの運転に異常が発生した場合に、その旨を音声出力により報知する音声信号制御装置の改良に関するものである。
【０００２】
【従来の技術】
図１０は、この種の従来から用いられている音声信号制御装置の機能構成の一例を示すブロック図である。
【０００３】
すなわち、従来の音声信号制御装置におけるデータ制御方法は、図１０に示すように、信号入力回路１に、外部から通報する内容に応じたＡ、Ｂ、Ｃ、Ｄ、Ｅの外部入力信号２０の入力があると、信号入力回路１は音声選択回路１４へ入力信号２１を出力する。
【０００４】
音声選択回路１４は、入力信号２１に応じた音声データ２５を音声データ保存回路５より取得し、これを音声出力電気信号３５に変換して音声出力回路１５へ出力し、音声出力回路１５は音声出力電気信号３５に応じた音声３６を外部へ通報する。
【０００５】
従来から用いている音声信号制御装置は、このようにして、通報内容に応じた音声データの出力を行っている。
【０００６】
【発明が解決しようとする課題】
しかしながら、このような従来の音声信号制御装置では、以下の様な問題がある。
【０００７】
すなわち、従来の音声信号制御装置においては、図１０に示すように、Ａ、Ｂ、Ｃ、Ｄ、Ｅの外部入力信号２０が同時に、または連続的に発生した場合、対応する音声データである音声Ａ、音声Ｂ、音声Ｃ、音声Ｄ、音声Ｅを信号入力回路１が受け取った外部入力信号の順に連続的に通報する。このため、上記全ての音声データを通報し終えるのは、個々の通報時間を単純加算した時間であるＴ時間後となる。
【０００８】
仮に、音声Ｅが最も重要な情報であっても、Ｅの外部入力信号が信号入力回路２０に入力する時間が他のＡ、Ｂ、Ｃ、Ｄの外部入力信号よりわずかに遅れただけでも約Ｔ時間経過するまでは通報されない。その結果、必要な対応が遅れてしまう危険性がある。
【０００９】
本発明はこのような事情に鑑みてなされたものであり、異常を知らせる外部入力信号が同時に、あるいは連続的に発生した場合においても、情報伝達の時間遅れを短くすることができる音声信号制御装置を提供することを目的とする。
【００１０】
【課題を解決するための手段】
上記の目的を達成するために、本発明では、以下のような手段を講じる。
【００１７】
請求項１の発明の音声信号制御装置においては、入力信号が入力されると、当該入力信号に対応した音声データを出力する音声信号制御装置において、ある一定時間内に複数の入力信号を受信した場合に、入力信号毎にあらかじめ定められている優先順に従って複数の入力信号に対応した音声データを出力する。
【００１８】
従って、請求項１の発明の音声信号制御装置においては、ある一定時間内に複数の入力信号を受信したとき、重要な音声データから順に出力する。その結果、効果的な情報伝達が可能となる。
【００２９】
【発明の実施の形態】
以下に、本発明の実施の形態について図面を参照しながら説明する。
【００３０】
なお、以下の各実施の形態の説明に用いる図中の符号は、図１０と同一部分については同一符号を付して示すことにする。
【００３１】
（第１の実施の形態）
本発明の第１の実施の形態を図１と図５とを用いて説明する。
【００３２】
図１は、本発明の実施の形態による音声信号制御装置の機能構成の一例を示すブロック図である。
【００３３】
すなわち、本実施の形態による音声信号制御装置は、その構成を図１に示すように、信号入力回路１に、発生事象に応じたＡ、Ｂ、Ｃ、Ｄ、Ｅの外部入力信号２０が入力すると、信号入力回路１は入力時間判定回路２へ入力信号２１を入力する。
【００３４】
入力時間判定回路２は、一定時間内に複数の入力信号を確認した場合、再生モード選択回路３にモード選択信号２３を入力する。モード選択信号２３を入力された再生モード選択回路３は、通常よりも速い速度で音声を出力するものと認識し、出力速度を制御するための信号である再生速度制御信号２４を再生速度制御回路４に入力し、再生速度制御回路４は、音声データ保存回路５より入力信号２１に応じた音声データ信号２５を取得する。
【００３５】
再生速度制御回路４は、音声データ信号２５を通常よりも速い速度にて出力される音声データ再生信号２６に変換し音声選択回路１４に入力する。
【００３６】
一方、音声選択回路１４には、入力時間判定回路２より音声選択信号２２も入力される。音声選択回路１４は、音声選択信号２２と音声データ再生信号２６とを照合し、音声データ再生信号２６に対応する音声出力電気信号３５を音声出力回路１５に入力し、音声出力回路１５は音出力電気信号３５に従って音声３６を出力する。
【００３７】
次に、以上のように構成した本実施の形態の音声信号制御装置の作用について説明する。
【００３８】
図５は、音声Ａから音声Ｅまでの出力に要する時間の比較図であり、図５（ａ）は従来技術による音声信号制御装置が要する出力時間、図５（ｂ）は本実施の形態による音声信号制御装置が要する出力時間である。
【００３９】
本実施の形態の音声信号制御装置においては、図５（ａ）に示すように、音声Ａ、音声Ｂ、音声Ｃ、音声Ｄ、音声Ｅを通常速度で連続的に出力した場合に要する全通報時間Ｔを、図５（ｂ）に示すように、前記おのおのの音声をそれぞれ高速出力することによって時間ｔに短縮することができる。勿論、高速で出力する場合においても、個々の通報内容を十分に認識できる程度の速度とする。
【００４０】
すなわち、本実施の形態の音声信号制御装置は、ある一定時間内に複数の入力信号を受信したとき、おのおのの音声データを通常よりも速い速度で出力することによって、全入力信号に対応する内容の通報時間を短縮することができる。
【００４１】
その結果、情報伝達の時間遅れを短くすることが可能となる。
【００４２】
（第２の実施の形態）
本発明の第２の実施の形態を図２と図５とを用いて説明する。
【００４３】
図２は、本発明の実施の形態による音声信号制御装置の機能構成の一例を示すブロック図であり、図１と同一部分には同一符号を付してその説明を省略し、ここでは異なる部分についてのみ述べる。
【００４４】
すなわち、図２に示す本発明の実施の形態による音声信号制御装置は、図１で示した再生モード選択回路３と再生速度制御回路４との代わりに、音声短縮モード選択回路６と音声短縮制御回路７とを設けたものである。
【００４５】
本実施の形態による音声信号制御装置は、その構成を図２に示すように、信号入力回路１に、発生事象に応じたＡ、Ｂ、Ｃ、Ｄ、Ｅの外部入力信号２０が入力すると、信号入力回路１は入力時間判定回路２へ入力信号２１を入力する。
【００４６】
入力時間判定回路２は、一定時間内に複数の入力信号を確認した場合、音声短縮モード選択回路６にモード選択信号２３を入力する。モード選択信号２３を入力された音声短縮モード選択回路６は、必要とする最小限の音声データを抽出するための制御信号である音声短縮制御信号２７を音声短縮制御回路７に入力し、音声短縮制御回路７は、音声データ保存回路５より入力信号２１に応じた音声データ信号２５を取得する。
【００４７】
音声短縮制御回路７は、音声データ信号２５を、必要とする最小限の音声データである音声データ短縮信号２８に変換し音声選択回路１４に入力する。
【００４８】
一方、音声選択回路１４には、入力時間判定回路２より音声選択信号２２も入力される。音声選択回路１４は、音声選択信号２２と音声データ短縮信号２８とを照合し、音声データ短縮信号２８に対応する音声出力電気信号３５を音声出力回路１５に入力し、音声出力回路１５は音出力電気信号３５に従って音声３６を出力する。
【００４９】
次に、以上のように構成した本実施の形態の音声信号制御装置の作用について説明する。
【００５０】
たとえば、通常、No.1ポンプ故障の信号があった場合「No.1ポンプが故障です。確認願います。」、また、No.4バルブの故障の信号があった場合「No.4バルブが故障です。確認願います。」とそれぞれ出力する場合において、一定時間内にこれら両方の信号の入力があった場合、「No.1ポンプ故障。」「No.4バルブ故障。」の様にそれぞれ必要最低限の情報のみを出力する。勿論、短縮した場合においても、個々の通報内容を理解できる程度とする。
【００５１】
図５は、音声Ａから音声Ｅまでの出力に要する時間の比較図であり、図５（ｃ）は本実施の形態による音声信号制御装置の出力時間を示す図である。
【００５２】
図５（ｃ）において上段は、通常、音声Ａから音声Ｅを連続的に通報した場合であり、斜線部は通常の通報内容のうち必要最低限の情報部分を示すものである。おのおのの音声について、斜線部に示す必要最低限の情報である短縮音声を通報することにより、図５（ｃ）の下段に示すように全通報時間を短縮することができる。
【００５３】
このように、本実施の形態の音声信号制御装置においては、全通報時間を短縮することができる。すなわち、複数の入力信号が一定時間内に発生した場合においても、最終情報まで早く外部通報できるようになり、その結果、情報伝達の時間遅れを短くすることが可能となる。
【００５４】
（第３の実施の形態）
本発明の第３の実施の形態を図３と図５とを用いて説明する。
【００５５】
図３は、本発明の実施の形態による音声信号制御装置の機能構成の一例を示すブロック図であり、図１と同一部分には同一符号を付してその説明を省略し、ここでは異なる部分についてのみ述べる。
【００５６】
すなわち、図３に示す本発明の実施の形態による音声信号制御装置は、図１で示した再生モード選択回路３と再生速度制御回路４の代わりに、類似信号モード選択回路８と類似信号制御回路９とを設けたものである。
【００５７】
本実施の形態による音声信号制御装置は、その構成を図３に示すように、信号入力回路１に、発生事象に応じたＡ、Ｂ、Ｃ、Ｄ、Ｅの外部入力信号２０が入力すると、信号入力回路１は入力時間判定回路２へ入力信号２１を入力する。
【００５８】
入力時間判定回路２は、一定時間内に複数の入力信号を確認した場合、類似信号モード選択回路８にモード選択信号２３を入力する。モード選択信号２３を入力された類似信号モード選択回路８は、類似した音声をまとめて出力するための制御信号である類似信号制御信号２９を類似信号制御回路９に入力し、類似信号制御回路９は、音声データ保存回路５より入力信号２１に応じた音声データ信号２５を取得する。
【００５９】
類似信号制御回路９は、音声データ信号２５を類似した音声データをまとめて再編集した音声データ類似信号３０に変換し音声選択回路１４に入力する。
【００６０】
一方、音声選択回路１４には、入力時間判定回路２より音声選択信号２２も入力される。音声選択回路１４は、音声選択信号２２と音声データ類似信号３０とを照合し、音声データ類似信号３０に対応する音声出力電気信号３５を音声出力回路１５に入力し、音声出力回路１５は音出力電気信号３５に従って音声３６を出力する。
【００６１】
次に、以上のように構成した本実施の形態の音声信号制御装置の作用について説明する。
【００６２】
本実施の形態による音声信号制御装置は、ある一定時間内に複数の入力信号を受信したとき、類似信号制御回路９において、複数の入力信号に対応したそれぞれの音声データから互いに類似する類似部を抽出し、それぞれの音声データの前記類似部以外、すなわち各音声データの固有情報である差異部と、前記類似部とを再合成することにより作成される再編集音声データを出力する。
【００６３】
たとえば、通常は、No.1ポンプ故障の信号があった場合「No.1ポンプが故障です。」、また、No.4バルブの故障の信号があった場合「No.4バルブが故障です。」とそれぞれ出力するが、一定時間内にこれら両方の信号があった場合、以下に説明するように類似部をまとめて再編集した内容を出力する。
【００６４】
この場合、「が故障です。」が類似部に相当し、「No.1ポンプ」と「No.4バルブ」とがそれぞれの差異部に相当し、「No.1ポンプ、No.4バルブ  が故障です。」の様に再編集される。この場合、「が故障です。」は両音声データに全く共通しているが、一字一句一致している必要は無く、同意であれば類似部と解釈してよい。なお、このように音声データを再編集した場合においても、その通報内容を理解できる程度とする。
【００６５】
図５は、音声Ａから音声Ｅまでの出力に要する時間の比較図であり、図５（ｄ）は本実施の形態による再編集音声データを出力する場合における音声信号制御装置が要する出力時間である。
【００６６】
図５（ｄ）の上段は、音声Ａから音声Ｅまでを通常速度で連続的に通報した場合であり、音声Ａから音声Ｅまでのおのおのの音声データを、各音声に固有な情報である差異部と、全ての音声に共通した情報である類似部とに分類したものである。類似部を最後にまとめて通報することにより、図５（ｄ）の下段に示すように効果的に全通報時間を短縮することができる。
【００６７】
なお、図５（ｄ）における類似部は、音声Ａから音声Ｅまで全てについて共通した情報であるが、類似部はこのように、必ずしも全てに共通している必要は無く、２つの音声データ毎の類似部をまとめる、３つの音声データ毎の類似部をまとめる等適宜類似部をまとめれば良い。
【００６８】
このように、本実施の形態の音声信号制御装置においては、類似情報をまとめることにより、効果的に全通報時間を短縮することができる。すなわち、複数の入力信号が一定時間内に発生した場合においても、最終情報まで早く外部通報できるようになる。
【００６９】
その結果、情報伝達の時間遅れを短くすることが可能となる。
【００７０】
（第４の実施の形態）
本発明の第４の実施の形態を図４と図５と図６とを用いて説明する。
【００７１】
図４は、本発明の実施の形態による音声信号制御装置の機能構成の一例を示すブロック図であり、図１と同一部分には同一符号を付してその説明を省略し、ここでは異なる部分についてのみ述べる。
【００７２】
すなわち、図４に示す本発明の実施の形態による音声信号制御装置は、図１で示した再生モード選択回路３と再生速度制御回路４の代わりに、優先順位モード選択回路１０と優先順位制御回路１１とを設けたものである。
【００７３】
本実施の形態による音声信号制御装置は、その構成を図４に示すように、信号入力回路１に、発生事象に応じたＡ、Ｂ、Ｃ、Ｄ、Ｅの外部入力信号２０が入力すると、信号入力回路１は入力時間判定回路２へ入力信号２１を入力する。
【００７４】
入力時間判定回路２は、一定時間内に複数の入力信号を確認した場合、優先順位モード選択回路１０にモード選択信号２３を入力する。モード選択信号２３を入力された優先順位モード選択回路１０は、一定時間内に入力した入力信号を、あらかじめ定めた優先順に従って音声出力するものと認識し、優先順位を制御する信号である優先順位制御信号３１を優先順位制御回路１１に入力し、優先順位制御回路１１は、音声データ保存回路５より入力信号２１に応じた音声データ信号２５を取得する。
【００７５】
優先順位制御回路１１は、音声データ信号２５を優先順位に従って音声データを並べ替えた音声データ順位信号３２に変換し後に音声選択回路１４に入力する。
【００７６】
一方、音声選択回路１４には、入力時間判定回路２より音声選択信号２２も入力される。音声選択回路１４は、音声選択信号２２と音声データ順位信号３２とを照合し、音声データ順位信号３２に対応する音声出力電気信号３５を音声出力回路１５に入力し、音声出力回路１５は音出力電気信号３５に従って音声３６を出力する。
【００７７】
次に、以上のように構成した本実施の形態の音声信号制御装置における優先順位に従った複数の音声データの並べ替えの方法について図６を用いて説明する。
【００７８】
図６は、音声データの優先順位を決定する優先番号の付番規則の例を説明する図である。
【００７９】
図６に示すように、外部入力信号２０は、状態モードＸ、ユニットモードＹ、機器番号モードＺの３桁で構成される固有の優先番号を有している。
【００８０】
ここで、優先番号の１桁目である状態モードＸは、機器の運転状態を示すものであり、３が正常、２が要注意、１が故障を表す。すなわち、数字が若いほど故障モードの重要度が高くなる。また、優先番号の２桁目であるユニットモードＹは機器の種類を示すものであり、ここでは、ポンプを１、バルブを２とそれぞれ分類し、ポンプの方が重要度が高いものとする。優先番号の３桁目である機器番号モードＺは同一ユニットにおける機器番号を示すものである。重要度の高い機器から順に機器番号を設定する。
【００８１】
従って、最も優先順位の高い優先番号は「No.1ポンプ故障」の１１１となる。また、この場合、優先番号が最も低いのは「No.3バルブ正常」の３２３である。
【００８２】
本実施の形態の音声信号制御装置においては、入力信号毎に、上記に説明したような優先番号を付する。これによって、一定時間に発生した複数の信号について優先順位を認識することができる。
【００８３】
その結果、重要度の高い情報から先に出力することができるようになり、効果的な通報が可能となる。
【００８４】
また、あらかじめ特定の優先番号について繰り返し出力するように設定することによって、重要性の高い情報に関しては、先に出力されるのみならず、繰り返し出力できるので、確実に情報を通報することが可能となる。
【００８５】
（第５の実施の形態）
第１から第４の実施の形態は、単独のみならず、適宜それらを組み合わせて用いることもできる。組み合わせは、２つの組み合わせ、３つの組み合わせ等無限に考えられるが、ここでは代表的な組み合わせパターンである以下の３つのケースについて説明する。
【００８６】
（１）入力信号に対応した音声データを出力する音声信号制御装置において、ある一定時間内に複数の入力信号を受信したとき、複数の入力信号に対応したそれぞれの音声データの互いに類似する類似部と、それぞれの音声データから類似部を除いた差異部とを合成してなる再編集音声データを、単数の音声データを出力するときよりも高速で出力する場合。
【００８７】
これは、第３と第１の実施の形態を組み合わせたものである。
【００８８】
（２）入力信号に対応した音声データを出力する音声信号制御装置において、ある一定時間内に複数の入力信号を受信したとき、入力信号毎にあらかじめ定めてある音声データから必要最低限な音声データのみを抽出した短縮音声データの互いに類似する類似部と、それぞれの短縮音声データから類似部を除いた差異部とを合成してなる再編集短縮音声データを出力する場合。
【００８９】
これは、第３と第２の実施の形態を組み合わせたものである。
【００９０】
（３）入力信号に対応した音声データを出力する音声信号制御装置において、ある一定時間内に複数の入力信号を受信したとき、入力信号毎にあらかじめ定めてある優先順に従って複数の入力信号に対応した音声データを並べかえ、更に、複数の入力信号に対応したそれぞれの音声データの互いに類似する類似部と、それぞれの音声データから類似部を除いた差異部とを合成してなる優先順再編集音声データを出力する場合。
【００９１】
これは、第３と第４の実施の形態を組み合わせたものである。
【００９２】
このような実施の形態を図５、図７、図８、図９を用いて説明する。
【００９３】
図７、図８、図９は、上記（１）、（２）、（３）に対応する実施の形態による音声信号制御装置の機能構成の一例を示すブロック図であり、図１、図２、図３と同一部分には同一符号を付してその説明を省略し、ここでは異なる部分についてのみ述べる。
【００９４】
すなわち、図７に示す実施の形態による音声信号制御装置は、図３で示した類似信号制御回路９と音声選択回路１４との間に、再生モード選択回路３と再生速度制御回路４とを付加した構成としている。
【００９５】
第３の実施の形態で説明したように、類似信号モード選択回路８はモード選択信号２３によって、類似音声データをまとめて出力するよう類似信号制御回路９を制御し、類似信号制御回路９は音声データ保存回路５から取得した音声データを基に音声データ類似信号３０を再編集し、再生モード選択回路３に入力する。再生モード選択回路３は再生速度制御信号２４を生成し再生速度制御回路４へ入力し、再生速度制御回路４は、再生速度制御信号２４をもとに音声データ再生信号２６を生成し音声選択回路１４に入力する。
【００９６】
音声選択回路１４は、音声選択信号２２と音声データ再生信号２６とを照合し、音声出力電気信号３５を音声出力回路１５へ入力する。
【００９７】
音声出力回路１５は、第３の実施の形態で説明したように、類似部をまとめて差異部と合成した再編集音声データを、通常速度よりも速い速度で出力する音声データである音声３６を出力する。
【００９８】
その他の構成は、図３と同様である。
【００９９】
次に、図８に示す実施の形態による音声信号制御装置は、図２で示した音声短縮制御回路７と音声選択回路１４との間に、類似信号モード選択回路８と類似信号制御回路９とを付加した構成としている。
【０１００】
第２の実施の形態で説明したように、音声短縮モード選択回路６はモード選択信号２３によって、必要最低限の音声データのみを出力するよう音声短縮制御回路７を制御し、音声短縮制御回路７は音声データ保存回路５から取得した音声データを基に音声データ短縮信号２８を作成し、類似信号モード選択回路８に入力する。
【０１０１】
類似信号モード選択回路８は類似信号制御信号２９を生成し類似信号制御回路９へ入力し、類似信号制御回路９は、類似信号制御信号２９をもとに音声データ類似信号３０を生成し音声選択回路１４に入力する。
【０１０２】
音声選択回路１４は、音声選択信号２２と音声データ類似信号３０とを照合し、音声出力電気信号３５を音声出力回路１５へ入力する。
【０１０３】
音声出力回路１５は、第２の実施の形態で説明したように、必要最低限の音声データのみを抽出した短縮音声データを、更に類似部と差異部とにまとめて再編集した音声データである音声３６を出力する。
【０１０４】
その他の構成は、図２と同様である。
【０１０５】
更に、図９に示す実施の形態による音声信号制御装置は、図４で示した優先順位制御回路１１と音声選択回路１４との間に、類似信号モード選択回路８と類似信号制御回路９とを付加した構成としている。
【０１０６】
第４の実施の形態で説明したように、優先順位モード選択回路１０はモード選択信号２３によって、優先順位信号を認識するように優先順位制御回路１１を制御し、優先順位制御回路１１は音声データ保存回路５から取得した音声データを基に音声データ順位信号３２を取り出し、類似信号モード選択回路８に入力する。
【０１０７】
類似信号モード選択回路８は類似信号制御信号２９を生成し、類似信号制御回路９へ出力し、類似信号制御回路９は類似信号制御信号２９をもとに、音声データ類似信号３０を生成し、音声選択回路１４に入力する。
【０１０８】
音声選択回路１４は、音声選択信号２２と音声データ類似信号３０とを照合し、音声出力電気信号３５を音声出力回路１５へ入力する。
【０１０９】
音声出力回路１５は優先順位に従って並べ替えられた音声の類似部をまとめて再編集した音声データである音声３６を出力する。
【０１１０】
その他の構成は、図４と同様である。
【０１１１】
次に、以上のように構成した本実施の形態の音声信号制御装置の作用について説明する。
【０１１２】
図７に示す、本発明の実施の形態による音声信号制御装置の出力形態を図５（ｄ’）に示す。図５（ｄ’）に示す音声出力時間は、図５（ｄ）の下段に示す再編集音声データを、更に高速で出力したものである。
【０１１３】
これにより、更に出力時間を短縮することができる。なお、このように高速で出力する場合においても、勿論、その内容を理解できる程度の速度とする。
【０１１４】
図８に示す、本発明の実施の形態による音声信号制御装置の出力形態を図５（ｃ’）に示す。図５（Ｃ’）に示す音声出力時間は、図５（ｃ）の下段に示す短縮音声データを、更に高速で出力したものである。
【０１１５】
これにより、更に出力時間を短縮することができる。なお、このように高速で出力する場合においても、勿論、その内容を理解できる程度の速度とする。
【０１１６】
図９に示す、本発明の実施の形態による音声信号制御装置の出力形態は、第３実施の形態と第４の実施の形態とを組み合わせた出力形態となる。これは、ある一定時間内に受信した複数の入力信号を、あらかじめ定めてある優先順に従って並べ替え、更に、それぞれの音声データから互いに類似する類似部を抽出し、それぞれの音声データの類似部以外の部分である差異部と、類似部とを再合成してなる優先順再編集音声データを出力する方法であり、第３の実施の形態と第４の実施の形態とを組み合わせた効果が得られる。
【０１１７】
従って、本実施の形態の音声信号制御装置においては、いずれの場合においても全通報時間を短縮することができる。
【０１１８】
その結果、複数の入力信号が一定時間内に発生した場合においても、必要な情報を可能な限り早く出力できる。その結果、全入力信号に対応する内容の通報時間を短縮することが可能になる。
【０１１９】
【発明の効果】
以上説明したように、本発明の音声信号制御装置によれば、異常を知らせる外部入力信号が同時に、あるいは連続的に発生した場合においても、音声データを通常よりも速い速度で出力する、必要最低限の音声データのみを出力する、重要な音声データから順に出力する、共通した情報をまとめて出力する、あるいはこれらを適宜組み合わせた方法にて出力することができる。
【０１２０】
これにより、情報伝達の時間遅れを短くすることができる音声信号制御装置を実現することが可能となる。
【図面の簡単な説明】
【図１】本発明の第１の実施の形態による音声信号制御装置の機能構成の一例を示すブロック図。
【図２】本発明の第２の実施の形態による音声信号制御装置の機能構成の一例を示すブロック図。
【図３】本発明の第３の実施の形態による音声信号制御装置の機能構成の一例を示すブロック図。
【図４】本発明の第４の実施の形態による音声信号制御装置の機能構成の一例を示すブロック図。
【図５】音声出力に要する時間の比較図。
【図６】音声データの優先順位を決定する方法の例を説明する図。
【図７】本発明の第５の実施の形態による音声信号制御装置の機能構成の一例を示すブロック図。
【図８】本発明の第６の実施の形態による音声信号制御装置の機能構成の一例を示すブロック図。
【図９】本発明の第７の実施の形態による音声信号制御装置の機能構成の一例を示すブロック図。
【図１０】従来から用いている音声信号制御装置の機能構成の一例を示すブロック図。
【符号の説明】
１…信号入力回路、
２…入力時間判定回路、
３…再生モード選択回路、
４…再生速度制御回路、
５…音声データ保存回路、
６…音声短縮モード選択回路、
７…音声短縮制御回路、
８…類似信号モード選択回路、
９…類似信号制御回路、
１０…優先順位モード選択回路、
１１…優先順位制御回路、
１４…音声選択回路、
１５…音声出力回路、
２０…外部入力信号、
２１…入力信号、
２２…音声選択信号、
２３…モード選択信号、
２４…再生速度制御信号、
２５…音声データ信号、
２６…音声データ再生信号、
２７…音声短縮制御信号、
２８…音声データ短縮信号、
２９…類似信号制御信号、
３０…音声データ類似信号、
３１…優先順位制御信号、
３２…音声データ順位信号、
３５…音声出力電気信号、
３６…音声。
【図１】
0003954232.tif 000002
【図２】
0003954232.tif 000003
【図３】
0003954232.tif 000004
【図４】
0003954232.tif 000005
【図５】
0003954232.tif 000006
【図６】
0003954232.tif 000007
【図７】
0003954232.tif 000008
【図８】
0003954232.tif 000009
【図９】
0003954232.tif 000010
【図１０】
0003954232.tif 000011